(57)【要約】【課題】  操作部材を持ち替えることなく、ひとつの操作部材を用いて、データ群のおおまかな粗い検索操作と、データ単位の選択操作を行うことができる「入力装置」を提供することを目的とする。【解決手段】  ＳＴ１，ＳＴ４，ＳＴ７で、操作部材を指で押し込んだ状態で、指で第２の入力部を動作させ、所望のアーティスト、アルバム、楽曲を粗検索し、ＳＴ２，ＳＴ５，ＳＴ８で、操作部材の押し込みを解除して、指で第１の入力部を動作させ、所望のアーティスト、アルバム、楽曲を正確に検索する。１つの操作部材を、指で押し込むという動作と指で回転させるという動作で操作できるため、操作部材を持ち替えることなく、第２の入力部を使っての粗検索を行う操作と、第１の入力部を使っての正確な検索を行う操作とを容易に行うことができる。【選択図】図５
2008071228.tif 000002
【特許請求の範囲】
【請求項１】
回転可能で且つ突出位置とこの突出位置から押し込まれる押込み位置との間で回転軸に沿う方向へ移動自在な操作部材と、前記操作部材を前記突出位置に付勢している付勢部材と、前記操作部材が前記突出位置にあるときにこの操作部材と嵌合する第１の操作子と、前記操作部材が前記押込み位置にあるときにこの操作部材と嵌合する第２の操作子とを有し、
前記第１の操作子は、前記操作部材と共に連続回転可能で、前記第２の操作子は、前記操作部材と共に両方向へ所定角度のみ回動可能で且つ中立付勢部材により中立位置に付勢されており、前記第１の操作子の連続回転に応じた検出出力を得る第１の検出部と、前記第２の操作子がそれぞれの方向へ回動したときに検出出力を得る第２の検出部とが設けられていることを特徴とする入力装置。
【請求項２】
前記第１の検出部は、前記第１の操作子が所定角度回転する度に１パルスを出力する回転エンコーダであり、
前記第２の検出部は、前記第２の操作子が一方向へ所定角度回動しているとき、および他方向へ所定角度回動しているときに、検出信号を出力するものである請求項１記載の入力装置。
【請求項３】
制御部では、表示部にデータ群を表示している状態で、前記第１の検出部からパルスが得られているときに、１パルス毎にまたは数パルス毎に、データが所定単位ずつ順に選択するように表示され、前記第２の検出部からの検出信号が継続しているときに、前記データが順番に連続して選択するように表示される請求項２記載の入力装置。
【請求項４】
制御部では、表示部にデータ群を表示している状態で、前記第１の検出部からパルスが得られているときに、１パルス毎にまたは数パルス毎に、データが所定単位ずつ順に選択するように表示され、前記第２の検出部からの検出信号が継続しているときに、前記所定単位よりも多いデータ量が組となって順番に表示される請求項２記載の入力装置。
【請求項５】
制御部では、表示部にデータ群を表示している状態で、前記第１の検出部からパルスが得られているときに、１パルス毎にまたは数パルス毎に、データが所定単位ずつ順に選択するように表示され、
前記第２の検出部からの検出信号が得られているときには、前記データを所定量ずつ区分した目次データが選択される請求項２記載の入力装置。
【発明の詳細な説明】
【技術分野】
【０００１】
本発明は、ひとつの操作部材で２つの検出部を操作することができ、また、表示部に表示されるデータをそれぞれの検出部から得られるデータに基づいて選択することができる入力装置に関する。
【背景技術】
【０００２】
下記の特許文献１には、光ディスク再生装置の再生動作を制御する操作ダイヤルが開示されている。
【０００３】
この操作ダイヤルは、記録情報の再生目標の位置を正確に探すために用いるジョグダイヤルと、記録情報の再生目標位置の近傍まで早くサーチを行うために用いるシャトルダイヤルとを有し、ジョグダイヤルとシャトルダイヤルは２軸同心に位置し、ジョグダイヤルの外側にシャトルダイヤルが配置されている。
【０００４】
この操作ダイヤルでは、以下の操作手順で、記録情報の再生目標の位置が正確に設定される。
【０００５】
（操作手順１）まず、シャトルダイヤルを操作して記録情報の再生目標のおおよその位置をサーチする。
【０００６】
（操作手順２）ジョグダイヤルの凹部に人差し指を置き、ジョグダイヤルを回転させて、さらに記録情報の再生目標の位置に近づく。
【０００７】
（操作手順３）ジョグダイヤルの近傍の操作面に手を置いて手の動きを止め、ジョグダイヤルの上面外周角部に人差し指を置いて指先を上下に動かしながら調節し、目的の位置に設定をする。
【特許文献１】特開２００１−５２４２４号公報
【発明の開示】
【発明が解決しようとする課題】
【０００８】
前記特許文献１に記載の操作ダイヤルでは、例えば、ＨＤＤ（ハードディスクドライブ）に記録された、大容量の情報から所望の情報を検索する際には、まず、所望の情報のおおよその位置を探すためにシャトルダイヤルを用い、その後、ジョグダイヤルで所望の情報がある位置まで正確に検索し、その位置を探し当てる。
【０００９】
この場合、シャトルダイヤルから一旦全ての指を離し、ジョグダイヤル上に再度指を乗せなければならず、ダイヤルを持ち替えなければならない。このため、ダイヤル操作が煩雑となり、また、車載用の装置の操作ダイヤルの場合には、車を運転中に、上記の持ち替え操作を行うことは危険となる。
【００１０】
本発明は上記従来の課題を解決するものであり、操作部材を持ち替えることなく、ひとつの操作部材を用いて、データ群のおおまかな粗い検索操作と、データ単位の選択操作を行うことができる入力装置を提供することを目的としている。
【課題を解決するための手段】
【００１１】
本発明の入力装置は、回転可能で且つ突出位置とこの突出位置から押し込まれる押込み位置との間で回転軸に沿う方向へ移動自在な操作部材と、前記操作部材を前記突出位置に付勢している付勢部材と、前記操作部材が前記突出位置にあるときにこの操作部材と嵌合する第１の操作子と、前記操作部材が前記押込み位置にあるときにこの操作部材と嵌合する第２の操作子とを有し、
前記第１の操作子は、前記操作部材と共に連続回転可能で、前記第２の操作子は、前記操作部材と共に両方向へ所定角度のみ回動可能で且つ中立付勢部材により中立位置に付勢されており、前記第１の操作子の連続回転に応じた検出出力を得る第１の検出部と、前記第２の操作子がそれぞれの方向へ回動したときに検出出力を得る第２の検出部とが設けられていることを特徴とするものである。
【００１２】
本発明の入力装置は、ひとつの操作部材を突出位置で回動させるか、押込み位置で回動させるかによって、異なる種類の入力が可能となる。また、第１の操作子は連続回転させる操作で、第２の操作子は所定角度のみ回動させる操作であり、第１の操作子を操作するときと第２の操作子を操作するときとで、手の動きが相違する。そのため、２種類の異なる操作を区別して確実に行えるようになる。
【００１３】
本発明は、前記第１の検出部は、前記第１の操作子が所定角度回転する度に１パルスを出力する回転エンコーダであり、
前記第２の検出部は、前記第２の操作子が一方向へ所定角度回動しているとき、および他方向へ所定角度回動しているときに、検出信号を出力するものである。
【００１４】
本発明の入力装置は、例えば、制御部では、表示部にデータ群を表示している状態で、前記第１の検出部からパルスが得られているときに、１パルス毎にまたは数パルス毎に、データが所定単位ずつ順に選択するように表示され、前記第２の検出部からの検出信号が継続しているときに、前記データが順番に連続して選択するように表示されるものである。
【００１５】
あるいは本発明は、制御部では、表示部にデータ群を表示している状態で、前記第１の検出部からパルスが得られているときに、１パルス毎にまたは数パルス毎に、データが所定単位ずつ順に選択するように表示され、前記第２の検出部からの検出信号が継続しているときに、前記所定単位よりも多いデータ量が組となって順番に表示されるものである。
【００１６】
あるいは本発明は、制御部では、表示部にデータ群を表示している状態で、前記第１の検出部からパルスが得られているときに、１パルス毎にまたは数パルス毎に、データが所定単位ずつ順に選択するように表示され、
前記第２の検出部からの検出信号が得られているときには、前記データを所定量ずつ区分した目次データが選択されるものである。
【発明の効果】
【００１７】
本発明の入力装置では、操作部材を持ち替えることなく、ひとつの操作部材を用いて、データ群のおおまかな粗い検索操作と、データ単位の選択操作を行うことができる。
【発明を実施するための最良の形態】
【００１８】
図１は本発明の実施の形態の入力装置を用いた操作パネルの一部を示す正面図、図２は前記入力装置の断面図、図３は前記入力装置の分解斜視図、図４は入力装置の回路ブロック図である。図５以下は、入力装置を用いた入力動作の一例を示す説明図である。
【００１９】
図１は、車載用の電子機器の操作パネル１の一部を示している。操作パネル１にはホルダ２が設けられ、このホルダ２に、本発明の実施の形態の入力装置１０を構成する操作部材１１が設けられている。操作部材１１は円筒状であり、片手の指で保持できる大きさである。円筒状の操作部材１１の内部には、他の操作ノブ３が設けられている。この操作ノブ３は、回動操作で入力を行うものであり、または押圧操作するものである。また、ホルダ２には、他の選択スイッチを動作させる押釦４，５，６，７が配置されている。
【００２０】
押釦４は、ＨＤＤ再生、ＣＤ再生、またはラジオチューナのいずれかを選択する選択スイッチである。入力装置１０は、複数の楽曲が音楽データとして記録されたＨＤＤ（ハードディスクドライブ）を操作する際に使用される。入力装置１０の操作部材１１を操作することにより、ＨＤＤ内に記憶された多数の楽曲のうちの所望の楽曲を検索することができる。また、押釦５，６，７は、再生中の楽曲の早送りや頭出しの操作などに使用される。
【００２１】
図２および図３に示すように、入力装置１０に設けられた操作部材１１は円筒状であり、操作ノブ３の外周に位置する回転操作部１１ａと、回転操作部１１ａと一体の連結部１１ｂとが一体に形成されている。
【００２２】
入力装置１０には基部側の筐体１９が設けられている。筐体１９は合成樹脂材料で形成されているものであり、円筒ガイド部１９ａと、この円筒ガイド部１９ａの基部側の外周から外側へ突出するフランジ部１９ｂと、フランジ部１９ｂの外周から前方へ突出する外側筒部１９ｃとが一体に形成されている。図２に示すように、操作ノブ３は、円筒ガイド部１９ａの内側を通過してフランジ部１９ｂよりも後方に延びており、この操作ノブ３により、フランジ部１９ｂよりもさらに後方に位置する他の入力機構が動作させられる。
【００２３】
筐体１９の前方には中間筐体１７が設けられている。中間筐体１７は合成樹脂材料でリング状に形成されており、その中心穴１７ａ内に、筐体１９の円筒ガイド部１９ａが位置している。中間筐体１７の外周部には外側筒部１７ｂが形成されている。中間筐体１７は、基部側の筐体１９の外側筒部１９ｃに突き当てられて、外側筒部１７ｂと外側筒部１９ｃの外面どうしが同一面になるように組み合わされた状態で、互いに固定されている。
【００２４】
中間筐体１７よりも前方には、円筒形状の可動嵌合部材１２が設けられている。可動嵌合部材１２は合成樹脂製であり、円筒部１２ａと、円筒部１２ａの基部から外周側へ突出するフランジ部１２ｂとが一体に形成されている。図２に示すように、円筒部１２ａは、基部側の筐体１９の円筒ガイド部１９ａの外周面に隙間なく挿通され、可動嵌合部材１２は、円筒ガイド部１９ａの外周面を摺動して回転自在であり、且つ円筒ガイド部１９ａの軸方向に向けて往復移動できるようになっている。
【００２５】
図２に示すように、操作部材１１の連結部１１ｂは、可動嵌合部材１２の円筒部１２ａの外周面に嵌合して固定されており、操作部材１１と可動嵌合部材１２とが一体となって回転方向および前後方向へ動作できる。
【００２６】
図２と図３に示すように、可動嵌合部材１２のフランジ部１２ｂの前面には、前方嵌合部を構成する複数の嵌合溝１２ｃが、円周方向へ向けて一定のピッチで形成されている。また、可動嵌合部材１２の後端面には、後方嵌合部を構成する複数の嵌合突起１２ｄが、円周方向へ向けて一定のピッチで形成されている。
【００２７】
図２に示すように、可動嵌合部材１２の外周側には、前方側の筐体１３が設けられている。筐体１３はリング状であり、その中心穴１３ａの内部に、筐体１９の円筒ガイド部１９ａと可動嵌合部材１２のフランジ部１２ｂが位置している。筐体１３の外周部には外側筒部１３ｂが一体に形成されている。この外側筒部１３ｂの外面と、中間筐体１７の外側筒部１７ｂの外面とが同一面となるように組み合わされて、筐体１３と中間筐体１７とが固定されている。
【００２８】
図３に示すように、筐体１３には、３本の金属板製のリード端子１３ｄ，１３ｅ，１３ｆが取り付けられている。筐体１３は合成樹脂製であり、リード端子１３ｄ，１３ｅ，１３ｆは筐体１３にインサート成形されている。図２に示すように、筐体１３の前面には、ロータリーエンコーダ用の基板１３ｃが固定されている。この基板１３ｃの前面には、３つの導電パターンが形成されており、それぞれの導電パターンが、リード端子１３ｄ，１３ｅ，１３ｆに個別に導通されている。前記３つの導電パターンのうちの１つはコモンパターンで、他の２つが正回転用パターンと逆回転用パターンである。
【００２９】
前方側の筐体１３のさらに前方には、第１の操作子１４が設けられている。第１の操作子１４は合成樹脂材料でリング状に形成されており、その中心穴１４ａの内周縁から中心に向けて突出する嵌合突起１４ｂが設けられている。この嵌合突起１４ｂは、可動嵌合部材１２に形成されている嵌合溝１２ｃと同じピッチで形成されており、嵌合突起１４ｂと嵌合溝１２ｃとが嵌合可能となっている。
【００３０】
図２に示すように、第１の操作子１４の後面には、摺動接点１４ｃが設けられている。この摺動接点１４ｃは、基板１３ｃに形成されている３つの導電パターンを摺動する。摺動接点１４ｃの回転方向に応じて、コモンパターンと正回転用パターンとが一定の時間間隔で間欠的に導通させられ、またはコモンパターンと逆回転用パターンとが一定の時間間隔で間欠的に導通させられる。よって、第１の操作子１４が正方向へ回転すると、リード端子１３ｄ，１３ｅ，１３ｆのいずれか２つの間で所定の回転角度ごとに１パルスが出力され、第１の操作子１４の回転速度に反比例した周期でパルス列が得られる。第１の操作子１４が逆方向へ回転するときも、リード端子１３ｄ，１３ｅ，１３ｆのいずれか２つの間で回転角度に応じたパルス列が出力される。
【００３１】
第１の操作子１４の前方には円形の板ばね１５が設けられている。板ばね１５よりも前方には、リング形状のカバー１６が設けられている。このカバー１６は前方の筐体１３に密着させられ、さらに固定片１６ａが、基部側の筐体１９の後面に折り曲げられる。このようにして、カバー１６が筐体１３の前方に固定されると、筐体１３とカバー１６との間に、第１の操作子１４と板ばね１５とが挟まれる。この板ばね１５の弾性力により、第１の操作子１４の後面に設けられた摺動接点１４ｃが、筐体１３に設けられるロータリーエンコーダ用の基板１３ｃに押し付けられている。
【００３２】
中間筐体１７と可動嵌合部材１２との間には、圧縮コイルスプリングの付勢部材１８が介在しており、この付勢部材１８により、可動嵌合部材１２は前方へ押し出されて付勢されている。操作部材１１に外力が作用していないときには、付勢部材１８により、可動嵌合部材１２が前方へ押し出されている。このときに、操作部材１１と共に可動嵌合部材１２を回転させると、可動嵌合部材１２の嵌合溝１２ｃと、第１の操作子１４に形成された嵌合突起１４ｂとが嵌合し、操作部材１１および可動嵌合部材１２と共に、第１の操作子１４が回転する。
【００３３】
この入力装置１０では、ロータリーエンコーダ用の基板１３ｃおよびこの基板１３ｃに形成された導電パターンと、摺動接点１４ｃとで、第１の入力部１０１が構成されている。
【００３４】
前記基部側の筐体１９と中間筐体１７との間には、第２の操作子２０が設けられている。第２の操作子２０は合成樹脂製であり、円筒部２０ａを有している。図２に示すように、円筒部２０ａは、筐体１９に形成された円筒ガイド部１９ａの外周面に隙間なく摺動自在に装着されている。円筒部２０ａの左右両側にはばね係止部２０ｂ，２０ｂが一体に突出形成されている。
【００３５】
第２の操作子２０と中間筐体１７との間には、トーションばねで形成された中立付勢部材２１が設けられている。中立付勢部材２１の一対の腕部２１ａ，２１ａは、それぞれ第２の操作子２０に形成されたばね係止部２０ｂ，２０ｂの下端に掛止され、且つ中間筐体１７に係止されている。よって、第２の操作子２０は、常に、図１に示すα１方向とα２方向の中立位置にあり、その中立位置からα１方向へ回動させた後に、またはα２方向へ回動させた後に力を解除すると、中立位置に復帰する。
【００３６】
筐体１９のフランジ部１９ｂの前面にはシャトル用基板２２が設けられている。このシャトル用基板２２には、α１方向の端部に一対の電極が形成され、α２方向の端部に一対の電極が形成されている。また、第２の操作子２０の後面には摺動接点２０ｃが設けられている。第２の操作子２０がα１方向へ回動させられると、摺動接点２０ｃにより一対の電極が導通させられて検出出力を得ることができる。また、第２の操作子２０がα２方向へ回動させられるときも、摺動接点２０ｃにより一対の電極が導通させられて検出出力を得ることができる。
【００３７】
第２の操作子２０の前面には嵌合溝２０ｄが円周方向へ一定のピッチで形成されている。操作部材１１と共に可動嵌合部材１２が押し込まれると、可動嵌合部材１２の嵌合溝１２ｃと第１の操作子１４の嵌合突起１４ｂとの嵌合が外れ、可動嵌合部材１２の嵌合突起１２ｄと嵌合溝２０ｄとが嵌合する。よって、操作部材１１を押し込みながら回転させると、第１の操作子１４は回転せず、可動嵌合部材１２と第２の操作子２０が一緒に回動する。
【００３８】
この入力装置１０では、シャトル用基板２２に形成された電極と、第２の操作子２０に設けられた摺動接点２０ｃとで、第２の入力部１０２が形成されている。
【００３９】
リング状の操作部材１１を指で保持し、押し込むことなくそのまま回転させると、第１の入力部１０１から、所定角度ごとに１パルスの出力を間欠的に出力させることができる。また操作部材１１の正方向回転と逆方向回転とで、異なるリード端子からパルス列を得ることができる。次に、操作部材１１を指で押し込んで、α１方向またはα２方向へ回転させると、第２の入力部１０２から検出出力を得ることができる。また操作部材１１へ与えられている力を除去すると、第２の入力部１０２は中立位置に復帰し、検出出力が絶たれる。
【００４０】
図４に示すように、この入力装置１０では、第１の入力部１０１から得られる検出信号が第１の検出回路１０３に与えられる。この第１の検出回路１０３では、操作部材１１を正方向または逆方向へ回転させることでリード端子１３ｄ，１３ｅ，１３ｆから得られる出力が、矩形波のパルスに成形されて制御部１０５に与えられる。第２の入力部１０２からの検出出力は第２の検出回路１０４に与えられる。第２の検出回路１０４では、操作部材１１がα１方向へ所定角度回動しているときと、α２方向へ所定角度回動しているときに、検出出力が出力され、この出力が制御部１０５に与えられる。なお、第２の検出回路１０４では、操作部材１１の回動角度の大きさに応じて、異なる検出出力を制御部１０５に与えることも可能である。
【００４１】
記憶部１０６にはデータが記憶されている。この実施の形態では、記憶部１０６が書き換え可能なメモリであり、図示しないハードディスクに記録されている楽曲の曲番、曲名、アドレス、曲の長さなどの各種データが格納されている。第１の入力部１０１による操作、および第２の入力部１０２による操作に基づいて、制御部１０５は、記憶部１０６に記憶されたデータを検索する。この検索結果は、表示処理部１０７で処理され、液晶パネルなどの表示部１０８に表示される。また第１の入力部１０１と第２の入力部１０２の操作でいずれかの楽曲が検索された後に、図１に示すいずれかの押釦を操作することにより、楽曲の再生がスタートし、このときにハードディスクから音楽データが読み出されて図示しない再生部で再生される。
【００４２】
次に、記憶部１０６に格納されている複数のデータリストから、所望の楽曲に関するデータを再生する動作を説明する。図５は、所望の楽曲を検索して再生する方法を示すフローチャートであり、各段階（ステップ）を「ＳＴ」で表している。以下の実施の形態では、表示部１０８に表示されたアーティスト名を検索する手順を示しているが、これは曲名など他のデータをその名称に基づいて検索する場合も同じである。
【００４３】
まず、図１に示す押釦４，５，６，７のいずれかを操作して、表示画面（表示部１０８）にアーティスト名の一覧（アーティストリスト）を表示させる。
【００４４】
次に、操作部材１１の回転操作部１１ａを片手の指で掴み、ＳＴ１において、回転操作部１１ａを奥方向へ押し込んで、可動嵌合部材１２を第２の操作子２０に嵌合させて、回転操作部１１ａをα１方向またはα２方向へ所定角度だけ回動させる。このとき、第２の入力部１０２が動作し、表示部１０８に表示されているデータリストが大まかに検索（粗検索）される。
【００４５】
第２の入力部１０２を使用した粗検索の方法は、図１に示すいずれかの操作部により予め、操作者が操作しやすいように設定することができる。
【００４６】
図６は粗検索の方法の第１の実施の形態を説明する説明図、図７は粗検索の方法の第２の実施の形態を説明する説明図、図８は粗検索の方法の第３の実施の形態を説明する説明図である。図６ないし図８は、いずれも表示部１０８の表示内容を示している。
【００４７】
図６に示す方法では、指で操作部材１１の回転操作部１１ａを押し込みながらα１方向に所定角度だけ回転させると、第２の操作子２０がα１方向に所定角度回転し、第２の操作子２０に設けられた摺動接点２０ｃが、シャトル用基板２２に形成された一対の電極を導通させ、回転操作部１１ａがα１方向へ回動させられている間、第２の入力部１０２から制御部１０５に信号が与えられる。
【００４８】
この信号が制御部１０５で処理され、アーティスト名が表示画面中でＰ１方向へ速い速度Ｖ１でスクロールさせられる。スクロールさせられているアーティスト名のいずれかが選択帯３１の位置に至ると、選択帯３１によって、周囲のアーティスト名よりも明るく表示（区別表示：ハイライト表示）される。また、回転操作部１１ａをα２方向へ所定角度回転させると、アーティスト名が、表示画面中でＰ２方向に速い速度Ｖ１でスクロールさせられる。そして、スクロールさせられるアーティスト名のいずれかが選択帯３１の位置に至ると、選択帯３１によって周囲のアーティスト名よりも明るく表示（区別表示：ハイライト表示）される。このような方法で、所望のアーティストを含んだデータ群を粗検索できる。
【００４９】
なお、シャトル用基板２２に複数の電極を形成しておき、操作部材１１と共に第２の操作子２０がα１方向またはα２方向へ回動させられたときに、その回動角度に応じてスクロールの速度Ｖ１が変化するように構成することもできる。
【００５０】
次に、図７に示す方法では、指で操作部材１１の回転操作部１１ａを押し込んでα１方向へ所定角度回動させると、表示部１０８の画面に表示されている選択帯３１の太さが上下に広がって選択太帯３２となり、この選択太帯３２内の複数のアーティスト名が他のアーティスト名から区別されて表示される。図７では、選択太帯３２によって５人のアーティスト名が区別表示されている。ただし、区別表示されるアーティストの数は、２名ないし４名、又は、表示画面に表示可能であれば６名以上であってもよい。
【００５１】
回転操作部１１ａがα１方向へ回動させられていると、選択太帯３２内に表示されている５名のアーティスト名が群Ｔ０となってＰ１方向へ移動し、その後に、次にＰ２側に並んでいる５名のアーティスト名の群Ｔ１が選択太帯３２によって画面の中央に表示される。回転操作部１１ａをα１方向へ回動させた状態に保持していると、５名のアーティスト名の群が、順次Ｐ１方向へ移動して、画面中で入れ替わる。そして、回転操作部１１ａを中立位置に復帰させると、その時点で選択太帯３２内に移動してきた５名のアーティスト名の群が停止して表示される。
【００５２】
また、回転操作部１１ａを押し込んで、α２方向へ所定角度回動させると、選択太帯３２の内部に表示される５名のアーティスト名の群がＰ２方向へスクロールして、次の５名のアーティスト名の群が選択太帯３２内に位置するように粗検索される。このように、図７に示す粗検索の方法では、例えば５個などのデータが群となって、画面にこの群が順次入れ替わるように表示され、回転操作部１１ａへの操作力が解除されたときに、いずれかの群を構成する５名のアーティストが選択太帯３２内に表示される。
【００５３】
図８に示す方法では、操作部材１１の回転操作部１１ａを押し込んで、α１方向へ所定角度回動させると、表示画面に「アルファベット」がＡ，Ｂ，Ｃ順に表示され、または「ひらがな」があいうえお順に表示される。このアルファベットまたはひらがなは選択帯３３内に一字ずつ順に表示され、Ｐ１方向へ一字ずつスクロールさせられる。また、回転操作部１１ａを押し込んでα２方向へ所定角度回動させると、アルファベットまたはひらがながＰ２方向へスクロールされる。
【００５４】
この方法では、記憶部１０６に記憶されている複数のアーティスト名が、その頭文字が同じものを群として区分されており、アルファベットやひらがなが、複数のデータの群の目次データとして使用されている。
【００５５】
なお、操作部材１１の回転操作部１１ａへの押し込み力を解除して、第２の操作子２０が中立位置に復帰すると、そのときに選択帯３３に位置するアルファベットまたはひらがなを頭文字とする複数のアーティスト名が画面に表示される。
【００５６】
次に、図９は第１の入力部１０１を用いてアーティスト名を検索する方法を説明する説明図である。
【００５７】
操作部材１１の回転操作部１１ａを指で保持し、押し込むことなくα１方向へ回転させると、第１の入力部１０１が動作し、操作部材１１が所定の回転角度となるたびに１パルス出力される。表示画面では、１パルスが得られるたびに、選択帯３１に位置しているアーティスト名が１名だけＰ１方向へシフトして、アーティスト名が入れ替わる。アーティスト名のスクロールの速さは、回転操作部１１ａおよび第１の操作子１４の回転速度に比例する。また、回転操作部１１ａを押し込むことなくα２方向へ回転させると、アーティスト名が１名ずつＰ２方向へシフトする。なお、第１の入力部１０１から２パルスなどの複数のパルスが得られる度に、アーティスト名が１名ずつシフトしてもよい。
【００５８】
以上の検索動作（ＳＴ２）により、いずれかのアーティスト名が選択されて選択帯３１に表示されているときに、ＳＴ３において、図１に示すいずれかの押釦を押してアーティスト名の選択を確定して決定すると、表示画面が切り替わり、切り替わった新たな表示画面には、選択決定されたアーティストの複数のアルバムのリストが表示される。
【００５９】
次に、表示画面にアルバムリストが表示されている状態で、ＳＴ４に移行する。ＳＴ４では、ＳＴ１と同様に、回転操作部１１ａを押し込んで回動させることにより、図６ないし図８に示すずれかの方法によって、所望のアルバムが粗検索される。
【００６０】
ＳＴ４での粗検索が終わると、ＳＴ５に移行する。ＳＴ５では、ＳＴ２と同様に、回転操作部１１ａを押し込むことなく回転させて、所望のアルバムが正確に検索される。
【００６１】
所望のアルバムが正確に検索されると、ＳＴ６に移行する。ＳＴ６では、ＳＴ３と同様に、選択帯３１に至っているアルバムが選択決定される。すると、表示画面が切り替わり、切り替わった新たな表示画面には、選択決定されたアルバムに収録されている複数の楽曲のリストが表示される。
【００６２】
次に、表示画面に楽曲のリストが表示されている状態で、ＳＴ７に移行する。ＳＴ７では、ＳＴ１及びＳＴ４と同様に、図６ないし図８に示すいずれかの方法によって、所望の楽曲が粗検索される。ＳＴ７での粗検索が終わると、ＳＴ８に移行する。ＳＴ８では、ＳＴ２及びＳＴ５と同様に、第１の入力部１０１で、所望の楽曲が正確に検索される。
【００６３】
所望の楽曲が正確に検索されると、ＳＴ９に移行する。ＳＴ９では、ＳＴ３及びＳＴ６と同様に、選択帯３１に至っている楽曲が選択決定される。すると、選択決定された所望の楽曲が再生される。
【００６４】
上記のように、本発明では、１つの操作部材１１を、指で押し込むという動作と指で回転させるという動作で操作できるため、操作部材を持ち替えることなく、シャトルエンコーダである第２の入力部１０２を使っての粗検索を行う操作と、ロータリーエンコーダである第１の入力部１０１を使っての細かな検索を行う操作とを容易に行うことができる。このため、車を運転中の場合でも、入力装置１０による入力操作を安全に行うことができる。
【図面の簡単な説明】
【００６５】
【図１】本発明の実施の形態の入力装置を用いた操作パネルの一部を示す正面図、
【図２】前記入力装置の断面図、
【図３】前記入力装置の分解斜視図、
【図４】入力装置の回路ブロック図、
【図５】所望の楽曲を検索して再生する方法を示すフローチャート、
【図６】粗検索の方法の第１の実施の形態を説明する説明図、
【図７】粗検索の方法の第２の実施の形態を説明する説明図、
【図８】粗検索の方法の第３の実施の形態を説明する説明図、
【図９】第１の入力部を使用した検索の方法を説明する説明図
【符号の説明】
【００６６】
１０  入力装置
１１  操作部材
１１ａ  回転操作部
１２  可動嵌合部材
１３ｃ  ロータリーエンコーダ用の基板
１４  第１の操作子
１４ｃ  摺動接点
１５  板ばね
１８  付勢部材
１９  筐体
２０  第２の操作子
２０ｃ  摺動接点
２２  シャトル用基板
２１  中立付勢部材
１０１  第１の入力部
１０２  第２の入力部
１０５  制御部
【図１】
2008071228.tif 000003
【図２】
2008071228.tif 000004
【図３】
2008071228.tif 000005
【図４】
2008071228.tif 000006
【図５】
2008071228.tif 000007
【図６】
2008071228.tif 000008
【図７】
2008071228.tif 000009
【図８】
2008071228.tif 000010
【図９】
2008071228.tif 000011